(57)【要約】【課題】高輝度・高精細・小型化を可能とした液晶プロジェクタ装置を低コストで実現する。【解決手段】光源からの光をレンズ、プリズム、機能性フィルムを備えた透明板を介して液晶表示パネルを通過もしくは反射させ、投影するようにした液晶プロジェクタ装置において、上記レンズ、機能性フィルムを保持する透明板、液晶表示パネルを構成する透明板の少なくとも一種を、厚みが２ｍｍ以上の水晶板で形成する。【選択図】    図１
2004245914.tif 000002
【特許請求の範囲】
【請求項１】
光源からの光をレンズ、プリズム、機能性フィルムを備えた透明板を介して液晶表示パネルを通過もしくは反射させ、投影するようにした液晶プロジェクタ装置において、上記レンズ、機能性フィルムを保持する透明板、液晶表示パネルを構成する透明板の少なくとも一種を、厚みが２ｍｍ以上の水晶板で形成したことを特徴とする液晶プロジェクタ装置。
【請求項２】
上記水晶板は、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内となるように設置されていることを特徴とする請求項１記載の液晶プロジェクタ装置。
【請求項３】
上記機能性フィルムは、偏光フィルム、位相差フィルム、視野角改善フィルムの少なくとも一つであることを特徴とする請求項１または２記載の液晶プロジェクタ装置。
【請求項４】
上記水晶板の表面に反射防止コートを施したことを特徴とする請求項１〜３のいずれかに記載の液晶プロジェクタ装置。
【請求項５】
上記水晶板と機能性フィルムの間に、ショア硬度２８以下の透明粘着剤を１０〜７０μｍの厚みで介在させて貼り合わせたことを特徴とする請求項１〜４のいずれかに記載の液晶プロジェクタ装置。
【請求項６】
厚み２ｍｍ以上の水晶板の表面に偏光フィルム、位相差フィルム、視野角改善フィルムの少なくとも一つの機能性フィルムを貼合もしくは形成してなる透明板。
【請求項７】
上記機能性フィルムが偏光フィルムであり、上記水晶板は、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内となるように設置されていることを特徴とする請求項６記載の透明板。
【請求項８】
上記水晶板の表面に反射防止コートを施したことを特徴とする請求項６または７記載の透明板。
【請求項９】
上記水晶板と偏光フィルム、位相差フィルム、視野角改善フィルムの少なくとも一つとの間に、ショア硬度３０以下の透明粘着剤を１０〜７０μｍの厚みで介在させて貼り合わせたことを特徴とする請求項６〜８のいずれかに記載の透明板。
【請求項１０】
光の入射側に位置する透明板と、出射側に位置する透明板の間隙に液晶を保持し、上記入射側または出射側の透明板のうち少なくとも１方を厚み２ｍｍ以上の水晶板で形成してなる液晶表示パネル。
【請求項１１】
光の入射側に位置する透明板と、出射側に位置する透明板の間隙に液晶を保持し、上記入射側または出射側の透明板のうち少なくとも１方に厚み２ｍｍ以上の水晶板を接合してなる液晶表示パネル。
【請求項１２】
上記水晶板は、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内であることを特徴とする請求項１０または１１に記載の液晶表示パネル。
【請求項１３】
上記水晶板の表面に反射防止コートを施したことを特徴とする請求項１０〜１２のいずれかに記載の液晶表示パネル。
【請求項１４】
上記水晶板と透明基板の間に、ショア硬度３０以下の透明粘着材を１０〜７０μｍの厚みで介在させて貼り合わせたことを特徴とする請求項１１に記載の液晶表示パネル。
【発明の詳細な説明】
【０００１】
【発明の属する技術分野】
本発明は、液晶プロジェクタ装置、及びこれに用いる透明板や液晶表示パネルに関する。
【０００２】
【従来の技術】
以前よりホームシアター用途を中心に使用されてきた液晶プロジェクタ装置は、液晶表示パネルの高精細化・ランプの高輝度化による映写画像の向上により、パソコン映像をそのまま投影して使用するプレゼンツールへと発展を遂げて来た。
【０００３】
この液晶プロジェクタ装置は、例えば図１に示すように構成されている。光源１は、メタルハライドランプ・キセノンランプ・超高圧水銀等の高輝度ランプ光源であり、これから投射された光は、球面反射鏡２により反射され、赤外線や紫外線等をカットするフィルタ３を透過させ、不要な赤外線・紫外線を除去する。その後、インテグレータレンズ４、集光レンズ５を透過させて集光させた後、入射側偏光板６を通し、液晶表示パネル８に入射する。液晶表示パネル８から出射させた光は、出射側偏光板７を透過後、投影レンズ９により拡大投影され、前方のスクリーン等に画像が映し出される。
【０００４】
この構造は、カラーフィルタを備えた液晶表示パネル１枚を用いた単板式のものであるが、この単板式に加え、ＲＧＢ３原色の光源分解光に対応して、３枚の液晶表示パネルを組み込んだ３枚式も一般的に知られている。
【０００５】
この場合、図２に示すような、光の波長に応じて透過・反射を行うダイクロイックミラー１０、及び光を合成する合成プリズム１１、また、全反射ミラー１２が使用される。そして、ダイクロイックミラー１０によって、光源からの光を赤（Ｒ）、緑（Ｇ）、青（Ｂ）に分解し、それぞれ個別の液晶表示パネル８に透過させ、合成プリズム１１で合成して投影するようになっている。
【０００６】
これらの液晶プロジェクタ装置の場合、その液晶画像形成部に偏光板６、７を用いるために、光が大幅に吸収されてしまうこと、また、装置の小型化を図るため、１インチ近傍のサイズにまで面積の小型化が図られた液晶表示パネル８の画像を数十インチから数百インチまで拡大し投影すること、などにより投影された映像の明るさの低減が避けられない。
【０００７】
そこで、光源２としては高輝度のメタルハライドランプ、超高圧水銀ランプ、キセノンランプなどの高出力のランプが使用されている。しかも、使用用途が、パソコン映像をそのまま投影して使用するプレゼンツールとして使用されることが一般化してくるにつれ、更に小型化、高精細化、高輝度化の要求が強くなり、ますます高出力のランプが選択されるようになってきている。
【０００８】
そのため、液晶プロジェクタ装置においては、熱による不都合が重要な課題となっている。
【０００９】
例えば、一般に液晶表示部を構成する偏光板としては沃素系偏光板を用いるが、これでは耐光性・耐熱性・耐湿熱性が十分ではないため、特に液晶プロジェクタには、耐光性・耐熱性・耐湿熱性により優れる染料系偏光板が使用されている（特許文献１、特許文献２参照）。
【００１０】
入射側の偏光板６の場合、光の透過率が４０％程度しかないため、透過光の大部分の光を吸収して発熱してしまい、７５℃以上になると特性が維持できないという問題がある。また、出射側の偏光板も全吸収（全黒）状態になった場合は、ほぼ全ての光が熱に変わるため入射側と同様に耐熱性の問題がある。また、液晶表示パネル８自体も熱には弱く、７０℃以上になると特性に支障を来すという問題がある。また、温度上昇が中央が高く外辺部分が低いという温度分布が生じることによって熱膨張差が生じるためにフィルム等に異方性のストレスを生じさせ、これらを起因とする色ムラが発生するという問題があった。そこで、液晶プロジェクタ装置では、以下に示すように数々の冷却方式が考案されてきた。
【００１１】
（１）冷却ファンを発熱部に取り付ける空冷方式入射側の偏光板６、液晶表示パネル８、出射側の偏光板７等の発熱部、及び光源１、電源部を冷却ファンにより冷却し、熱を帯びた空気を排気する。
【００１２】
（２）図１に示すように、入射側・出射側の偏光板の保持基板を熱伝導率の高いサファイアとして貼合設置し、液晶表示パネル８の発熱に対する放熱効果を高めるとともに、その間に冷却風を流すことにより冷却効率を高める（特許文献３参照）。
【００１３】
（３）液晶表示パネル８の外面に、熱伝導率の高いサファイア放熱用ガラス板を貼合設置し、液晶表示パネル８の発熱に対する放熱効果を高めるとともに、冷却風によりゴミが液晶表示パネル８に付着することを防止する（特許文献３参照）。
【００１４】
（４）液冷方式熱交換媒体として液体を封入し、冷却効率を高める（特許文献４参照）。
【００１５】
（５）ペルチェ素子等の電子冷却方式ペルチェ素子等による電子冷却装置を取り付け、強制冷却をする。
【００１６】
（６）偏光変換器（ＰＢＳコンバーター）を光源直後に設置する光源１からの光を偏光板６に入射する前に、変換器により偏光方向を揃え、偏光板６に吸収される光の量を減らす。
【００１７】
〔特許文献１〕
特開平９−２２００８号公報
〔特許文献２〕
特開平９−２２００９号公報
〔特許文献３〕
特許第３０９１１８３号公報
〔特許文献４〕
特公平６−５８４７４号公報
【００１８】
【発明が解決しようとする課題】
しかし、上述した各冷却方法でも以下のような課題があった。
【００１９】
（１）冷却ファンによる空冷方式の場合、騒音とゴミの付着の問題がある。十分な冷却効果を得るため、送風量を増やしていくとファンの高速回転、及び大型化により騒音の問題が生じ、静かな室内でプレゼンテーションを行ったり、ホームシアターとして使用する場合には不適当である。
【００２０】
（２）のように良熱伝導体であるサファイアを使用することにより、放熱効果を高めることはできるが、コストが高いという問題がある。
【００２１】
（３）液晶表示パネル８の外面に放熱用サファイア板を設置した場合、ゴミが付着した時の焦点を外し、映写面に影響を与えず、且つ放熱性を高められる効果が得られるが、厚い材料が必要となるため、コストが高くなるという問題がある。
【００２２】
（４）液冷式については、温度上昇に伴い、圧力抜き、気泡発生、混入異物及び冷却媒体漏れ等が生じ、信頼性の点で問題がある。また、液冷機構についても大掛かりなものが必要となり装置全体が大きくなってしまうという問題がある。
【００２３】
（５）ペルチェ素子等の電子冷却装置を付加した固体冷却方式の場合、液晶プロジェクタ装置全体のコストが大幅に上昇してしまうだけなく、十分な冷却効果を得られるには至っていない。
【００２４】
（６）偏光変換器を通し、今まで全て偏光板６で吸収されていた偏光成分を偏光板６の透過偏光軸に予め変換しておくことにより、発熱量を低減しようというものであるが、やはり約２０％の光は吸収され発熱するため、液晶表示パネル８が小型化し、単位面積あたりのランプの強度が上がれば、冷却効果としては不十分であった。
【００２５】
以上のように、いずれの冷却方法でも、ある程度の冷却効果は得られるがコストが高い、騒音、若しくは複雑な構造となってしまう等の問題があった。また、発熱の問題は上述した偏光板６以外にも、さまざまな部位で生じている。
【００２６】
例えば、液晶表示パネル８を構成する、一般的に出射側に位置する画素電極及びスイッチング素子を形成する透明板は、現状では熱伝導率が１．２Ｗ／ｍ・Ｋ程度と低い石英ガラスを用いており、入射側に位置する対向電極基板は石英若しくは、熱伝導率が１．８Ｗ／ｍ・Ｋ程度の結晶化ガラスを用いて構成しているため、液晶表示パネル８内に蓄積される熱を効率良く逃がすことができないという問題があった。更に、パネル表面に付着するゴミの写り込みを防止するデフォーカスを目的とする防塵板として、各々の基板と同材質の石英・結晶化ガラス基板を出射側、及び入射側に貼り付けていることにより蓄熱した熱が逃げないという問題があった。
【００２７】
【課題を解決するための手段】
そこで本発明は、光源からの光をレンズ、プリズム、機能性フィルムを備えた透明板を介して液晶表示パネルを通過もしくは反射させ、投影するようにした液晶プロジェクタ装置において、上記レンズ、機能性フィルムを保持する透明板、液晶表示パネルを構成する透明板の少なくとも一種を、厚みが２ｍｍ以上の水晶板で形成したことを特徴とする。
【００２８】
即ち本発明は、液晶プロジェクタ装置における透明板として比較的安価で量産性の高い水晶板を用い、その厚みを２ｍｍ以上とすることにより、高価なサファイアと同等レベルまで放熱性を高めたものであり、これによって低コストでサファイアを用いたものと同等の冷却効果を持つプロジェクタ装置を実現するものである。
【００２９】
また、上記水晶板が、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内となるように設置したことを特徴とする。
【００３０】
さらに、上記機能性フィルムが、偏光フィルム、位相差フィルム、視野角改善フィルムの少なくとも一つであることを特徴とする。
【００３１】
また、上記水晶板の表面に反射防止コートを施したことを特徴とする。
【００３２】
さらに、上記水晶板と機能性フィルムの間に、ショア硬度３０以下の透明粘着剤を１０〜７０μｍの厚みで介在させて貼り合わせたことを特徴とする。
【００３３】
また本発明は、上記液晶プロジェクタ装置等に用いられる透明板であって、厚み２ｍｍ以上の水晶板の表面に偏光フィルム、位相差フィルム、視野角改善フィルムの少なくとも一つの機能性フィルムを貼合もしくは形成したことを特徴とする。
【００３４】
さらに、上記機能性フィルムが偏光フィルムであり、上記水晶板は、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内となるように設置されていることを特徴とする。
【００３５】
また、上記水晶板の表面に反射防止コートを施したことを特徴とする。
【００３６】
さらに、上記水晶板と偏光フィルム、位相差フィルム、視野角改善フィルムの少なくとも一つとの間に、ショア硬度３０以下の透明粘着剤を１０〜７０μｍの厚みで介在させて貼り合わせたことを特徴とする。
【００３７】
また、本発明は、上記液晶プロジェクタ装置等に用いる液晶表示パネルであって、光の入射側に位置する透明板と、出射側に位置する透明板の間隙に液晶を保持し、上記入射側または出射側の透明板のうち少なくとも１方を厚み２ｍｍ以上の水晶板で形成したことを特徴とする。
【００３８】
さらに、本発明は、上記液晶プロジェクタ装置等に用いる液晶表示パネルであって、光の入射側に位置する透明板と、出射側に位置する透明板の間隙に液晶を保持し、上記入射側または出射側の透明板のうち少なくとも１方に厚み２ｍｍ以上の水晶板を接合したことを特徴とする。
【００３９】
また、上記水晶板は、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内であることを特徴とする。
【００４０】
さらに、上記水晶板の表面に反射防止コートを施したことを特徴とする。
【００４１】
また、上記水晶板と透明基板の間に、ショア硬度３０以下の透明粘着材を１０〜７０μｍの厚みで介在させて貼り合わせたことを特徴とする。
【００４２】
【発明の実施の形態】
以下、本発明の実施形態を図によって説明する。
【００４３】
図１に示すように、光源１は、メタルハライドランプ、キセノンランプ、超高圧水銀（ＵＨＰ）等の高輝度ランプ光源であり、これから投射された光は、球面反射鏡２により反射され、赤外線や紫外線等をカットするフィルタ３を透過させ、不要な赤外線・紫外線を除去する。その後、インテグレータレンズ４、集光レンズ５を透過させて集光させた後、入射側偏光板６を通し、液晶表示パネル８に入射する。液晶表示パネル８から出射させた光は、出射側偏光板７を透過後、投影レンズ９により拡大投影され、前方のスクリーン等に画像が映し出される。
【００４４】
また、この構造は、１枚の液晶表示パネル８を用いた単板式のものであるが、他の実施形態としてＲＧＢ３原色の光源分解光に対応して、３枚の液晶表示パネル８を組み込んだ３枚式もある。
【００４５】
これは、図２に示すように、光の波長に応じて透過・反射を行うダイクロイックミラー１０、及び光を合成する合成プリズム１１、また、全反射ミラー１２が使用される。そして、ダイクロイックミラー１０によって、光源からの光を赤（Ｒ）、緑（Ｇ）、青（Ｂ）に分解し、それぞれ個別の液晶表示パネル８に透過させ、合成プリズム１１で合成して投影するようになっている。
【００４６】
そして、本発明では、上記の図１、２に示す液晶プロジェクタ装置において、ダイクロイックミラー１０、フィルタ３、レンズ４、偏光板６、７における偏光フィルムを保持する透明板、液晶表示パネル８を構成する透明板等の少なくとも一種を２ｍｍ以上の厚みを持つ水晶板で形成したことを特徴とする。そのため、水晶板は熱伝導性が高いことから、上述した各部品での発熱を効率よく放熱することができる。
【００４７】
また、この実施形態では偏光フィルムを保持した偏光板６、７として説明したが、この偏光板６、７と合わせて使用される位相差板やコントラスト向上の為に使用される視野角改善板についても同様に水晶板を用いることができる。即ち、偏光フィルム、位相差フィルム、視野角改善フィルム等の機能性フィルムは熱に弱いため、これらを保持する透明体として厚さ２ｍｍ以上の水晶板を用いることで、放熱性を向上させることができる。
【００４８】
尚、各機能性フィルムとは、非液晶性の高分子が配向したポリエステル・ポリスルホン・オレフィン系ポリマー、ノルボルネン系ポリマー、アクリル系ポリマー、スチレン系ポリマー、セルロース系ポリマーやポリビニルアルコール、またはそれらポリマーが２種又は３種以上のを混合したポリマーなどから構成されるフィルムが上げられる。
【００４９】
上記各機能性フィルムは、それぞれ単独で水晶板と貼合されたり、複数の機能性フィルムを積層して貼合されたり、水晶板の両面に各々貼合されたりして使用されることにより、良好な冷却効果が得られる。あるいは、各機能性フィルムを貼合するのではなく、水晶板上に直接形成することもできる。
【００５０】
まず、偏光板６、７における保持板に水晶板を適用した実施形態を説明する。
【００５１】
図３に示すように、偏光フィルム１３を厚さ２ｍｍ以上の水晶板からなる保持板１５の表面に、透明接着剤で接合して偏光板６、７を構成する。なお、この時、偏光フィルム１３の透過偏光軸１４と、保持板１５を構成する水晶板のＺ軸またはＺ軸投影線方向を示す軸またはＺ軸と直交する軸（例えばＸ軸）１６との成す角度が±２゜以内、好ましくは±０．５゜以内となるように両者を接合する。
【００５２】
図５は、図３のように貼り合わせた偏光板６、７を、液晶表示パネル８の前後にセットし、光を照射した状態を示している。この場合、入射側は、液晶表示パネル８から１〜５ｍｍの間隔を開け、出射側についても液晶表示パネル８の出射側１〜５ｍｍの間隔を開け設置した。
【００５３】
このようにすれば、熱伝導率が９．５Ｗ／ｍ・Ｋと高い水晶板を保持板１５とし、偏光フィルム１３と貼り合わせることにより、偏光フィルム１３を透過できなかった光の吸収による蓄熱を水晶基板に伝導し、効率よく放熱させることができる。さらに、冷却ファンを組み合わせて使用することにより極めて効率よく、偏光板６の蓄熱を放散する事が出来る。
【００５４】
なお、この実施形態において、偏光フィルム１３の透過偏光軸１４と、保持板１５を成す水晶板のＺ軸又はＺ軸投影線又はＺ軸と直交する軸１６との成す角度を±２゜以内、好ましくは±０．５゜以内に制御する理由は、偏光フィルム１３により整えた偏光が、水晶結晶内の複屈折を起因とした旋光を発生させないようにするためである。例えば、上記範囲を超える角度となった場合、液晶プロジェクタ装置から投影する映像に乱れ等の影響が生じる。
【００５５】
また、図４に示すように水晶基板からなる保持板１５の主面１５ａの面方位をＺ面の±２゜以内好ましくは±０．５゜以内とすることによっても、複屈折の影響をなくし、安定した映像とすることが可能であった。
【００５６】
次に、水晶板を２ｍｍ以上の厚みとする理由について説明する。現在、一般的に放熱基板として使用されているサファイア板は、高コストである理由から生産性が高い０．５〜０．７ｍｍ厚の基板が主に使用されている。水晶の場合、サファイアの１／４程度の熱伝導率しかないため、サファイアと同厚みにすると放熱性が不足する。そのため同レベルの放熱効果を得るためには、全体の全体の熱容量を含めた熱伝達性を考慮する必要がある。具体的には、空気中よりも水晶中の方が熱伝導速度が速くなり、その移動距離をより長くした方が熱の移動量を大きく出来る。そのため、０．５ｍｍのサファイア基板を使用した場合と同様の冷却性能が得られる水晶厚みの条件調べるため、基板の片面に偏光子フィルムを貼り合わせた同条件で比較テストを行いピーク温度において同条件となる厚みを見いだしたものである。即ち、水晶板の場合、厚み２ｍｍ以上とすれば、サファイア基板０．５ｍｍ厚みのものと同等の放熱性を得ることができるのである。
【００５７】
なお、水晶板の厚みの上限については、装置の大きさや構造によって異なり、構造上で問題とならない厚みであれば良い。ただ、厚すぎても特に意味がないため、１０ｍｍ以下、好ましくは５ｍｍ以下の範囲とすれば良い。
【００５８】
なお、偏光板６における偏光フィルム１３と保持板１５の位置関係については、液晶表示パネル８の入射側の偏光板６については、偏光フィルム１３を保持板１５よりも液晶表示パネル８側に設置し、出射側の偏光板７については、偏光フィルム１３を保持板１５よりも液晶表示パネル８側に設置した方が、液晶表示パネル８の表示コントラストがより向上する。
【００５９】
この理由は、液晶表示パネル８前後での偏光特性を出来る限り変化させないことが重要であり、水晶板の保持板１５の軸方位及び面方位を精度良くセットしたとしても、透過させることにより偏光特性の変化を０とすることは困難であるからである。このような配置とすることにより、コントラストの特性は、水晶を使用しない場合と比較してほぼ同等レベルが実現可能であった。
【００６０】
また、図５の実施形態では、入射側、及び出射側の偏光板６を液晶表示パネル８から離した構造を示したが、液晶表示パネル８に直接偏光板６を接合した構造を取った場合でも、熱伝導性の良い厚み２ｍｍ以上の水晶板を用い、表面に偏光板を直接貼合する構造を取れば、十分な放熱効果が得られ、冷却状態を保つことができる。この構造を取った場合、液晶表示フォーカス面から、冷却風にさらされる偏光フィルム１３の外面との距離を大きくできるため、偏光フィルム１３の表面にゴミが付着した場合でも、焦点が合いにくく、投影される映像の品位を劣化させることを防止することができる。
【００６１】
また、保持板１５として使用する水晶板は、片面もしくは両面に反射防止コートを施すことにより、更に透過性を高めることができる。また、その反射防止コートも接着面と空気に触れる面とでコーテイング特性をその屈折率に合わせた設計とすることで、さらに透過率を向上させることが可能であった。
【００６２】
また、液晶表示パネル８出射側の外面に取り付ける水晶板には、少なくとも片面に液晶表示パネル８の有効画素エリアよりも０．１ｍｍ以上大きなサイズとなる透過率が１％未満の遮光枠を塗布することにより、投影する映像が周りからの散乱光によるコントラストの低下という問題を防止することが可能であった。この遮光膜は、シルク印刷のようなものでも良く、クロム系の蒸着膜でも構わない。尚、この遮光膜は、液晶表示パネル面側に施した方が光の回り込みが小さくなり効果が大きくなるのは言うまでもない。
【００６３】
実際に２ｍｍ厚の水晶板を保持板１５として偏光板６、７を構成した場合、従来のサファイアを使用した場合と比較し、ほぼ同等レベルの冷却効果が得られ、青板ガラスや白板ガラスと比較すると約１０℃前後の改善が見られた。
【００６４】
次に、液晶表示パネル８を構成する透明板に水晶板を用いた実施形態について説明する。
【００６５】
液晶表示パネル８は、出射側に位置する画素電極及びスイッチング素子を形成する透明板と、入射側に位置する対向電極を形成する透明板との間隙に液晶を保持する構造を取っており、これらの透明板を２ｍｍ以上の厚みの水晶基板で構成する。液晶表示パネルを構成する基板が２ｍｍ以上の厚みがあれば、フォーカスをぼかせる為の防塵板も不要となり部品点数の削減が図れるため効果的である。尚、液晶表示パネルを構成する透明板とは別に、液晶表示パネル８の入射側や出射側に水晶板からなる透明板を接合しても同様の冷却効果が得られる。
【００６６】
図６に示す実施形態は、液晶表示パネル８の入射側と出射側に、柔軟性のある透明粘着材を介して水晶板からなる透明板１８を接合したものであり、図７に示す実施形態は、液晶表示パネル８の入射側と出射側に、空間をあけて透明板１８を接合したものである。
【００６７】
このように、液晶パネル８に水晶板の透明板１８を接合する場合、あるいは水晶板の保持板１５に偏光フィルム１３等を接合する場合の透明粘着材は、表１に示すようにショア硬度３０以下とすることが好ましい。また、その厚みは、画像品質への影響を考慮した場合、１０μｍ以上とすれば問題がなく、熱の伝導による冷却性を確認した実験を行った結果、表２に示すように７０μｍ以下の厚みとすれば良いことがわかった。この理由は、水晶は熱膨張が大きく且つ異方性も大きいため、柔軟性のある接着剤を用いて、液晶セルギャップに対するこれらの影響を排除するのが目的である。
【００６８】
尚、上記透明粘着剤は、紫外線硬化型や２液混合して重合するタイプ等のアクリル系やエポキシ系が上げられるが、可視光域で透明性を有するものであれば、構わない。
【００６９】
【表１】
2004245914.tif 000003
【００７０】
【表２】
2004245914.tif 000004
【００７１】
また、液晶表示パネル８に対し、光の入射側及び出射側の両方に透明板１８を備えた方がより高い放熱性を示すが、いずれか片側でも高い放熱効果を得ることは可能である。さらに、透明板１８を成す水晶板の片側または両側に反射防止コートを施すことにより、更に、透過特性を向上させることが可能である。
【００７２】
なお、透明板１８として使用する水晶板は、透過すべき偏光の偏光軸に対して、水晶板のＺ軸またはＺ軸投影線またはＺ軸と直交する軸が±２゜以内、好ましくは０．５°以内となるようセットすることで、旋光等による投影画像の品位を劣化させる問題を回避することができる。また、水晶板の面方位をＺ面±２゜以内好ましくは±０．５゜以内とすることによっても、投影画像の品位に影響を与えることを防止できる。
【００７３】
また、液晶表示パネル８を水晶製の透明板１８で覆うことにより、透明板８にゴミが付着しても、液晶表示パネル８からの距離を大きくできるため、フォーカスポイントを外せて、映像品位に支障が出なくなる。尚、この厚みは、冷却に不可欠な２ｍｍ以上の厚みがあれば十分であることが実験により確認できた。
【００７４】
さらに、加えて偏光板６、７を構成する保持板１５を水晶基板で構成することにより、約５℃以上の液晶表示パネル面温度低下効果が得られた。
【００７５】
次に、図８に示す実施形態は、透過型の液晶表示パネル８を構成する入射側の画素電極及びスイッチング素子を形成する透明板１９、及び出射側の対向電極を形成する透明板２０を厚さ２ｍｍ以上の水晶板で形成し、液晶表示パネル８を構成したものである。
【００７６】
この透明板１９、２０を成す水晶板について、いずれも透過すべき偏光の偏光軸と水晶結晶軸によるＺ軸又はＺ軸投影線方向又はＺ軸と直交する軸との成す角度が、±２゜以内、好ましくは±０．５゜以内となるように構成するか、または水晶基板の面方位をＺ面±２゜好ましくは±０．５゜以内とする必要がある。
【００７７】
この場合、液晶表示パネル８を構成する透明板１９、２０自体が十分な放熱特性を持つ水晶から成り、且つデフォーカスに十分な厚みも有するため、防塵板や偏光板を別に備える必要がなく、上記透明板１９、２０の外面側に直接偏光フィルム１３を接合すればよい。このようにすれば、透明板１９、２０が偏光フィルム１３の保持板を兼用させることができ、コンパクトで低コストの構造とすることができる。
【００７８】
この場合、水晶板の片面又は両面に反射防止コートを施すことでなお一層透過特性を向上させることが可能となるが、偏光フィルム１３を接着させる透明粘着材が一般的に１．４〜１．５の屈折率を示しており、水晶の屈折率１．５と近似の為、界面反射の影響も小さく、特に反射防止コーティングを施こさなくでも良好な透過特性が実現可能となる。さらにその屈折率に合わせた設計の反射防止コートを施すことにより透過特性が向上する。
【００７９】
図８に示す構造で、冷却ファンと組み合わせた冷却構造を取った場合、石英基板で同構造を形成した場合と比較して、約１５〜２０℃の温度低減効果が実現でき、光学系の光路も約５％の短縮が可能となった。
【００８０】
また、他の実施形態として、反射型の液晶表示パネル８の反射電極及びスイッチング素子を形成する透明板及び入出射側の対向電極を形成する透明板として水晶板を用いても、放熱効果を向上させることができる
なお、上記の実施形態では、透過型プロジェクタに搭載するケースを説明したが、反射型プロジェクタにおける偏光フィルムなどの機能性フィルムの保持板、及び反射液晶デバイスを構成する透明板や防塵板として水晶板を良好に使用することが可能である。
【００８１】
本発明で用いる水晶板については、圧電性を用いた電子部品や、光学特性を利用した光学ローパスフィルター部品として、水熱合成法による大型のオートクレーブにより大量生産されているため、比較的安価に入手可能である。
【００８２】
次に、水晶と現状使用されている透明材料であるサファイア、石英ガラス、ＢＫ−７、フロートガラス（青板ガラス）との特性値の比較を表３に示す。
【００８３】
この表３から明らかなように、サファイア程ではないが、比較的熱伝導率に優れ、放熱性に優れることが解る。また、屈折率は一般ガラス部材と近似であり、設計上の利点も高い。さらに、耐熱性にも優れ、液晶表示パネルを構成する多結晶シリコン（ｐ−ｓｉ）ＴＦＴの製造工程の高温プロセスに対しても、全く問題なく使用が可能である。
【００８４】
【表３】
2004245914.tif 000005
【００８５】
【実施例】
ここで、面内にＺ軸が存在する水晶板を製作し、平行ニコル、及び直交ニコルで水晶板のコントラスト（消光比）を調査した結果を図９に示す。このグラフより、偏光光と水晶板のＺ軸、若しくはＺ軸に対する直交軸との位置関係を±２°以内に管理することにより、一般的に液晶プロジェクタに使用されている液晶表示パネルのコントラストである４００：１をクリアすることが可能であることがわかる。尚、更に角度差を厳しく管理することにより、より高いコントラストが実現可能である。
【００８６】
次に、水晶板の厚みのみを変化させて、片側に染料系偏光フィルムを貼合したサンプルを準備し、０．５ｍｍ厚のサファイア基板での温度分布と比較調査した結果の例を図１１〜１４に示す。実験については、全面に均等に光を照射し、温度が均衡状態になった時点で温度分布を測定した。図１１〜１４については基板を１／４にカットしたもので、一番上が基板の中央に当たり、最も温度が高くなることが分かる。
【００８７】
この最も温度が高くなる中央部の温度を比較した結果、水晶板の厚みが２．０ｍｍでサファイアに近い冷却効果となり、厚みが２．５ｍｍまで増すとほぼサファイア基板と同レベルの冷却効果が得られることが分かる。
【００８８】
【発明の効果】
以上のように本発明によれば、光源からの光をレンズ、プリズム、機能性フィルムを備えた透明板を介して液晶表示パネルを通過もしくは反射させ、投影するようにした液晶プロジェクタ装置において、上記レンズ、機能性フィルムを保持する透明板、液晶表示パネルを構成する透明板の少なくとも一種を、厚みが２ｍｍ以上の水晶板で形成したことによって、放熱効果とコストパフォーマンスに優れた、高輝度で小型化した液晶プロジェクタ装置を発熱による特性劣化という問題なしに実現することが出来る。
【００８９】
また、上記水晶板が、Ｚ軸方向又はＺ軸投影線方向と透過すべき偏光透過軸との成す角度が±２°以内であるか、又はＺ軸と直交する軸と透過すべき偏光透過軸との成す角度が±２゜以内であるか、又はＺ面と透過すべき偏光の透過方向に垂直な面との成す角度が±２°以内となるように設置したことによって、偏光特性を忠実に透過し、投影できるプロジェクタ装置が実現できる。
【００９０】
以上のように、本発明によれば、液晶プロジェクタ装置による投影画像の大幅な高輝度化・高精細化が可能となり、更に装置の小型化にも貢献できる。
【図面の簡単な説明】
【図１】一般的な透過型単板式の液晶プロジェクタ装置の概略図である。
【図２】一般的な透過型３枚式の液晶プロジェクタ装置の概略図である。
【図３】（ａ）（ｂ）は本発明の液晶プロジェクタ装置に用いる偏光板を示す図である。
【図４】（ａ）（ｂ）は本発明の液晶プロジェクタ装置に用いる偏光板を示す図である。
【図５】本発明の液晶表示パネルを示す図である。
【図６】本発明の液晶表示パネルを示す図である。
【図７】本発明の液晶表示パネルを示す図である。
【図８】本発明の液晶表示パネルを示す図である。
【図９】水晶板のＺ軸と偏光透過軸との成す角度とコントラストとの関係を示すグラフである。
【図１０】水晶板の温度分布を示す図である。
【図１１】水晶板の温度分布を示す図である。
【図１２】水晶板の温度分布を示す図である。
【図１３】水晶板の温度分布を示す図である。
【図１４】サファイア板の温度分布を示す図である。
【符号の説明】
１・・・光源
２・・・反射鏡
３・・・フィルタ
４・・・インテグレータレンズ
５・・・レンズ
６・・・偏光板
７・・・偏光板
８・・・液晶表示パネル
９・・・投影レンズ
１０・・・ダイクロイックミラー
１１・・・合成プリズム
１２・・・全反射ミラー
１３・・・偏光フィルム
１４・・・偏光軸
１５・・・保持板
１６・・・Ｚ軸又はＺ軸投影線方向
１８・・・透明基板
１９・・・透明基板
２０・・・透明基板
２１・・・透明基板
２２・・・透明基板
【図１】
2004245914.tif 000006
【図２】
2004245914.tif 000007
【図３】
2004245914.tif 000008
【図４】
2004245914.tif 000009
【図５】
2004245914.tif 000010
【図６】
2004245914.tif 000011
【図７】
2004245914.tif 000012
【図８】
2004245914.tif 000013
【図９】
2004245914.tif 000014
【図１０】
2004245914.tif 000015
【図１１】
2004245914.tif 000016
【図１２】
2004245914.tif 000017
【図１３】
2004245914.tif 000018
【図１４】
2004245914.tif 000019